(57)【要約】【課題】夜間等においても竿体の撓り程度を容易に認識可能な釣竿を提供する。【解決手段】この釣竿の穂先竿１は、本体部３と、本体部３の周面に配置された軸方向に伸びる圧電素子テープ７と、本体部３の竿元側端部に脱着自在に装着される底栓６と、底栓６に配置され圧電素子テープ７からの入力電圧を昇圧する昇圧手段とを備えている。本体部３の周面には本体部３の周面から順に、下地層１１，第１電極層１２，絶縁層１３，発光層１４，第２電極層１５，表面層１６とが積層されており、昇圧手段からの電圧が第１電極層１２と第２電極層１５との間を加圧する。穂先竿１の撓り程度に応じて圧電素子テープ７からの入力電圧が変化し、発光層１４はその程度に応じて発光する。【選択図】　図２
2004008005.tif 000002
【特許請求の範囲】
【請求項１】
魚釣りに用いる釣竿を構成する筒状の竿体であって、
炭素繊維に合成樹脂を含浸させたプリプレグ素材を焼成してなる筒状の本体部と、
前記本体部の周面に配置された軸方向に伸びる圧電素子帯と、
前記本体部の竿元側端部に脱着自在に装着される底栓と、
前記底栓に配置された前記圧電素子帯からの入力電圧を昇圧する昇圧手段とを備え、
前記本体部の周面には前記本体部の周面から順に、第１電極層，絶縁層，発光層，第２電極層，表面層とが積層されており、前記昇圧手段からの電圧が前記第１電極層と前記第２電極層との間を加圧する、竿体。
【請求項２】
前記第１電極層は前記本体部自体である、請求項１に記載の竿体。
【請求項３】
魚釣りに用いる釣竿を構成する筒状の竿体であって、
筒状の本体部と、
前記本体部に配置される一対の電極を有する発光体と、
前記本体部の周面に配置された軸方向に伸びる圧電素子帯と、
前記本体部の竿元側端部に脱着自在に装着される底栓と、
前記底栓に配置された前記圧電素子帯からの入力電圧を昇圧する昇圧手段とを備え、
前記昇圧手段からの電圧が前記発光体の電極を加圧する、竿体。
【請求項４】
前記本体部は、炭素繊維に透過性合成樹脂を含浸させたプリプレグ素材を焼成してなる筒状体であり、前記発光体は前記本体部内に収納されている、請求項３に記載の竿体。
【発明の詳細な説明】
【０００１】
【発明の属する技術分野】
本発明は魚釣りに用いる釣竿を構成する竿体に関する。
【０００２】
【従来の技術】
近時の多くの釣竿を構成する先細り筒状体である竿体は、炭素繊維やガラス繊維等の強化繊維に合成樹脂を含浸させたプリプレグと呼ばれる繊維強化樹脂から形成されている。ある種の釣竿は単一の筒状体からのみ竿体を構成し、また、他の種の釣竿は複数の筒状体を振出形式若しくは並継形式に連結して一本の長い竿体としている。そして、このような釣竿を構成する竿体の所定位置の周面に、例えば、リールシートや釣糸ガイドが装着されている。そして、釣糸の先端に連結する仕掛けに魚がかかると、竿体がこれに反応して釣人に魚が仕掛けにかかったことを知らせると共に、魚からの力を受け止めるのである。
【０００３】
ところで、夜間に釣りを行う場合は竿体の反応の釣人が目視できず、魚を引き上げるタイミングを上手くつかめないこともある。そこで、仕掛けを構成する「浮き」を発光させたり、最も穂先側に位置する穂先竿に発光体を取り付ける等して、仕掛け乃至竿体の反応を暗闇の中でも容易に認識し得るように工夫することも行われている。
【０００４】
しかし、このような従来の発光体は、魚の引き程度に応じて変化するものではなく、単に、発光を続けるのみであり、「浮き」の動きや竿体の動きを釣人が認知できるに留まるものである。
魚釣りに於いて引き上げのタイミングを見定める上で重要なのは、魚の「引き」の程度である。「浮き」であればその動きの程度・速度を、竿体であればその撓りの程度・速度を看て、釣人は魚を引き上げるタイミングを見計らっている。従って、従来の発光体を取り付けたのみ「浮き」や竿体では、このような要請に十分に対応できていない。
【０００５】
【発明が解決しようとする課題】
本発明の課題は、夜間等においても魚の引きの程度迄も容易に認識し得る竿体を提供することにある。
【０００６】
【課題を解決するための手段】
発明１の竿体は、魚釣りに用いる釣竿を構成する筒状の竿体であって、炭素繊維に合成樹脂を含浸させたプリプレグ素材を焼成してなる筒状の本体部と、本体部の周面に配置された軸方向に伸びる圧電素子帯と、本体部の竿元側端部に脱着自在に装着される底栓と、底栓に配置された圧電素子帯からの入力電圧を昇圧する昇圧手段とを備えている。そして、本体部の周面には本体部の周面から順に、第１電極層，絶縁層，発光層，第２電極層，表面層とが積層されており、昇圧手段からの電圧が第１電極層と第２電極層との間を加圧する。
【０００７】
この竿体は、その穂先側に釣糸を連結し若しくは竿体の周面に配置する釣糸ガイドに釣糸を挿通して穂先側に引き出し、その釣糸の先端に「仕掛け」を設けて用いる。「仕掛け」に魚がかかり魚から釣糸に力が加えられると、竿体がその加力の程度に応じて屈曲する。このように竿体が屈曲すると、この竿体の周面に配置されている圧電素子帯がその屈曲の程度に応じて電圧を生じる。この電圧は昇圧手段に入力され、圧電素子帯に於ける電圧の程度に応じて昇圧される。そして、この昇圧された電圧が第１電極層と第２電極層との間を加圧する。このようにして、竿体の屈曲の程度に応じて第１電極層と第２電極層とが加圧され、竿体の屈曲の程度に応じて発光層が発光する。この電極層や発光層は竿体の本体部の周面に直接積層されており、竿体全体がコンパクトにまとめられている。
【０００８】
発明２の竿体は、発明１の竿体であって、第１電極層は本体部自体である。
この竿体では、炭素繊維に合成樹脂を含浸させてなる竿体の本体部自体を第１電極として用いており、竿体周面への積層数が減少し構造が簡易化される。また、積層工程も簡素化される。
発明３の竿体は、魚釣りに用いる釣竿を構成する筒状の竿体であって、筒状の本体部と、本体部に配置される一対の電極を有する発光体と、本体部の周面に配置された軸方向に伸びる圧電素子帯と、本体部の竿元側端部に脱着自在に装着される底栓と、底栓に配置された圧電素子帯からの入力電圧を昇圧する昇圧手段とを備えている。そして、昇圧手段からの電圧が発光体の電極を加圧する。
【０００９】
この竿体でも、発明１の竿体と同様に、竿体の屈曲の程度に応じて発光体が発光して、その状況を釣人が夜間等においても容易に認識できる。即ち、「仕掛け」に魚がかかり魚から釣糸に力が加えられると、竿体がその加力の程度に応じて屈曲する。このように竿体が屈曲すると、この竿体の周面に配置されている圧電素子帯がその屈曲の程度に応じて電圧を生じる。この電圧は昇圧手段に入力され、圧電素子帯に於ける電圧の程度に応じて昇圧される。そして、この昇圧された電圧が発光体の電極間を加圧する。
【００１０】
発明４の竿体は、発明３の竿体であって、本体部は、炭素繊維に透過性合成樹脂を含浸させたプリプレグ素材を焼成してなる筒状体であり、発光体は本体部内に収納されている。
この竿体は、本体部が透過性合成樹脂からなり、本体部の筒状の内部を外部より認識可能である。そして、本体部内に収納される発光体を釣人が認識する。発光体を竿体内部に収納することで、竿体全体の構造がコンパクトになる。
【００１１】
【発明の実施の形態】
［第１実施形態］
本発明の第１実施形態を採用した釣竿を以下に示す。
図１に示すように、この釣竿は先細りテーパの施された複数の筒状体を連結して一本の釣竿となっている。各竿体は振出形式若しくは並継形式等の周知の連結手法によって連結される。例えば、並継形式であれば、各竿体の竿元側端部に嵌合雄部を、各竿体の穂先側端部を嵌合雌部として、相互に嵌着可能とする。
【００１２】
この釣竿の竿元側の竿体の周面にはリールを脱着自在に装着可能なリールシートが設けられ、各竿体の周面には軸方向に間隔を隔てて複数の釣糸ガイドが配置される。そして、リールからの釣糸が順次釣糸ガイドに案内されて穂先側へと至ることになる。
この複数の竿体を連結した釣竿において、最も穂先側に位置する小径の竿体である穂先竿１は、以下のような構造となっている。
【００１３】
図２に模式的に示すように、この穂先竿１は、先細り筒状体である本体部３と、本体部３の穂先側端部に装着されているトップガイド４と、本体部３の周面に軸方向に間隔を隔てて複数配置されている釣糸ガイド５と、本体部３の竿元側端部に脱着自在に装着されている底栓６とを有している。
本体部３は、炭素繊維若しくはガラス繊維などの強化繊維にエポキシ樹脂等の合成樹脂を含浸させたプリプレグ素材からなる。具体的には、所定の先細りテーパの施された芯材の周面にテープ状若しくはシート状に加工したプリプレグ素材を巻回して焼成し、芯材を引き出して本体部３を形成する。また、この本体部３の周面には周方向の一部に軸方向に伸びる圧電素子テープ７が貼り付けられている。この圧電素子テープ７は、ピエゾ効果を有する素材をテープ状に加工したものである。このピエゾ効果（圧電効果）とは、ある種のセラミックや水晶などの結晶に力を加えると、ひずみに応じた強さの電圧が生じるような効果である。
【００１４】
また、本体部３の周面には、その周面全体若しくはその一部に以下のような積層構造が形成されている。例えば、図２に示すように、本体部３の半周面側のみに形成してもよい。
具体的な積層構造は、図４に示すように、本体部３側から順に、下地層１１，第１電極層１２，絶縁層１３，発光層１４，第２電極層１５，表面層１６からなる。下地層１１は、エポキシ系樹脂を塗布してなるものであり、第１電極層１２と本体部３とを接着するバインダーとなっている。第１電極層１２は、例えば、カーボン粉末を合成樹脂に混入したもの等からなる塗材を上述のエポキシ系樹脂からなる下地層１１の周面に塗布されて形成される。絶縁層１３は、例えば、チタン酸バリウムを合成樹脂に混入したもの等からなる。その上に積層される発光層１４は、例えば、ＺｎＳを合成樹脂に混入したもの等からなり発光層１４の上面側と下面側との間の電圧差に応じて発光する。第２電極層１５は、錫添加酸化インジウム粉末を合成樹脂に混入したもの等からなる。また、表面層１６はウレタン系若しくはエポキシ系塗材からなるクリア層であり、各層を保護している。
【００１５】
トップガイド４は、本体部３の穂先側端部が挿入される固定部分と、固定部分より起立し竿体の軸方向に貫通する貫通孔を有するフレームと、このフレームに填め込まれて固定されているガイドリングとを有している。また、釣糸ガイド５も同様に、本体部３が挿通した状態で本体部３の所定の軸方向位置に固定されている固定部分と、この固定部分から起立するフレーム及びフレームの貫通孔に填め込まれて固定されているガイドリングを有する。それぞれのガイドは、竿元側の竿体のリールシートに装着される釣糸を案内する部材であり、釣糸はガイドリングを挿通して穂先側に導かれている。なお、釣糸ガイド５の数は任意に設定可能である。
【００１６】
底栓６は、本体部３の竿元側端部を塞ぐ栓部材である。例えば、本体部３の竿元側端部内周面にねじ溝を形成しておいて、ここに底栓６を螺着させることで脱着自在に本体部３に装着してもよい。図２に示すように、この底栓６には昇圧回路（図示せず）が内包されると共に、電源装置としての電池８が配置されている。
【００１７】
図５に示すように、この昇圧回路，圧電素子テープ７，電池８との関係は以下のようになっている。圧電素子テープ７への歪みから生じる電圧を検出回路によって検出し、その電圧信号を昇圧回路へ入力する。圧電素子テープ７に生じる電圧は上述のように、穂先竿１の屈曲の程度に応じて変化する。昇圧回路に入力された電圧は、その内部で電池８からの電圧供給を受けて増幅される。そして、増幅されて入力電圧より昇圧された出力電圧が、本体部３の第１電極層１２と第２電極層１５との間を加圧する。そして、両電極層間において絶縁層１３によって隔てられた発光層１４が、昇圧回路からの出力電圧に応じて発光する。
【００１８】
このような穂先竿１を有する釣竿では、各竿体を順次連結して一本の釣竿とした上で、リールからの釣糸を釣糸ガイド５，トップガイド４に通して穂先側へと導き、この釣糸の先端に「仕掛け」を連結して魚釣りを行う。「仕掛け」に魚がかかり魚から釣糸に力が加えられると、竿体、特に、最も穂先側に位置する小径の穂先竿１が鋭敏に反応して、その加力の程度に応じて屈曲する。穂先竿１が屈曲すると、その周面に配置されている圧電素子テープ７がその屈曲の程度に応じて電圧を生じ、上述の過程を経て、発光層１４が穂先竿１の屈曲の程度に応じて発光する。
【００１９】
そして、釣人は、夜間等において、発光体の発光の有無のみではなくその発光の程度によっても竿体の屈曲程度を認識することも可能となり、魚の引き上げのタイミングを採りやすい。なお、この電極層１２，１５や発光層１４は穂先竿１の本体部３の周面に直接積層されており、穂先竿１全体がコンパクトにまとめられている。
【００２０】
また、この穂先竿１は面上に発行するので、竿体に釣糸ガイド５等を装着しておいてもその陰となって発光状態が見づらくなることもない。竿体周面から突出するものでもないので、不要な釣糸の糸絡みを防止できることにもなる。
［他の実施形態］
（ａ）穂先竿１の本体部３上の積層構造は、以下のような態様とすることも可能である。
【００２１】
図６に示すように、本体部３を炭素繊維にエポキシ樹脂を含浸させたプリプレグ素材から構成すると共に、その周面に本体部３側から順に、絶縁層１３，発光層１４，第２電極層１５，表面層１６とを積層する。各層を形成する素材などは上記実施形態と同様である。即ち、下地層１１と第１電極層１２とを廃除して、本体部３自体を第１電極に代える。このような構造を採用することで、積層工程が省略され構造も簡易化する。
（ｂ）上記実施形態においては、穂先竿１の軸方向長さ全体にわたって発光層１４等を積層しているが、一部分のみ、特に、穂先側端部の一定の軸方向範囲のみに所定の積層構造を設けてもよい。さらに、このような積層構造ではなく、その他の発光部材を本体部３の周面に取り付けることも可能である。
（ｃ）図７に示すように、穂先竿１の本体部３を透過性を有するプリプレグ素材から形成して筒状の内部を外部から目視可能にした上で、本体部３の内部に発光体２０を配置するようにしてもよい。この発光体２０は、例えば、図７に示すようにコイル状のものを用いても、チューブ状のものでもその形状は問わない。
（ｄ）上記実施形態では、穂先竿１のみを発光させているが、これに限定されるものではなく、他の竿体を発光させてもよい。
【００２２】
【発明の効果】
本発明の釣竿によれば、夜間においても、釣人が竿体の撓り程度を容易に認識することができ、魚の引き上げのタイミングを採りやすい。
【図面の簡単な説明】
【図１】本発明の第１実施形態を採用した釣竿の全体図。
【図２】図１の穂先竿１の拡大図。
【図３】図２のＩＩＩ−ＩＩＩ断面図。
【図４】図２の穂先竿１の本体部３の発光部分の積層構造。
【図５】図２の穂先竿１の回路図。
【図６】本発明の別の実施形態を採用した穂先竿の図４に相当する図。
【図７】本発明の別の実施形態を採用した穂先竿を示した図。
【符号の説明】
１　穂先竿
４　トップガイド
５　釣糸ガイド
６　底栓
７　圧電素子テープ
１１　下地層
１２　第１電極層
１３　絶縁層
１４　発光層
１５　第２電極層
１６　表面層
【図１】
2004008005.tif 000003
【図２】
2004008005.tif 000004
【図３】
2004008005.tif 000005
【図４】
2004008005.tif 000006
【図５】
2004008005.tif 000007
【図６】
2004008005.tif 000008
【図７】
2004008005.tif 000009